(57)【要約】  【課題】  信号の送受信に係る設定を行う際に参照できるシーケンス図を表示することができる通信機器試験装置を提供すること。  【解決手段】  試験対象の通信機器２に送信される信号を生成する信号生成部１０と、信号生成部１０によって生成された信号を通信機器２に送信する信号送信部１１と、通信機器２から送信された信号を受信する信号受信部１２と、表示部１７とを備え、表示部１７は、通信機器２に指示するためのコマンドが入力されるコマンド入力部４１と、コマンド入力部４１に入力されたコマンドに基づいて信号生成部１１によって生成される信号の送信に応じて通信機器２との間で送受信されるべき信号の順序を表すシーケンス図を表示するシーケンス表示部４３とを有する第１の画面を表示する。【選択図】  図１
2005347831.tif 000002
【特許請求の範囲】
【請求項１】
試験対象の通信機器（２）に送信される信号を生成する信号生成部（１０）と、
前記信号生成部によって生成された信号を前記通信機器に送信する信号送信部（１１）と、
前記通信機器から送信された信号を受信する信号受信部（１２）と、
表示部（１７）とを備え、
前記表示部は、
前記通信機器に指示するためのコマンドが入力されるコマンド入力部（４１）と、
前記コマンド入力部に入力されたコマンドに基づいて前記信号生成部によって生成される信号の送信に応じて前記通信機器との間で送受信されるべき信号の順序を表すシーケンス図を表示するシーケンス表示部（４３）とを有する第１の画面を表示することを特徴とする通信機器試験装置。
【請求項２】
前記表示部は、
前記コマンド入力部に入力されたコマンドである複数のコマンドを一覧表示するコマンド表示部（３１）と、前記一覧表示された複数のコマンドから選択された一つのコマンドに対応する前記第１の画面を表示させるための第１の画面呼び出し手段（３３）とを有する第２の画面を表示し、
前記信号送信部による信号の送信が、前記コマンド表示部に一覧表示された各コマンドに対して順次行われるようにしたことを特徴とする請求項１に記載の通信機器試験装置。
【請求項３】
前記信号送信部による信号の送信の実行を指示するための実行指示入力部（３４）を備えたことを特徴とする請求項２に記載の通信機器試験装置。
【請求項４】
前記第２の画面は、前記実行指示入力部を備えていることを特徴とする請求項３に記載の通信機器試験装置。
【発明の詳細な説明】
【技術分野】
【０００１】
本発明は、試験対象の通信機器との間で信号を送受信することによって通信機器を試験する通信機器試験装置に関するものである。
【背景技術】
【０００２】
従来の通信機器試験装置は、２つの通信機器間で伝送された信号の送信順序を取得し、取得した信号の送信順序に基づいてシーケンス図を表示し、このシーケンス図を送信順序で付された目盛りを以って表示することによって、ある特定の時間帯に対応する表示領域に信号を表す矢印が密集することを防止し、通信データの伝送状況の判別を行いやすくしていた（例えば、特許文献１参照）。
【特許文献１】特開２００３−２７３９６３号公報
【発明の開示】
【発明が解決しようとする課題】
【０００３】
しかしながら、従来の通信機器試験装置においては、既に伝送された信号に対するシーケンス図が表示されるものの、これから伝送される信号に対するシーケンス図が表示されないため、信号の送受信に係る設定を行う際にはシーケンス図が参照できないといった問題があった。
【０００４】
本発明は、従来の問題を解決するためになされたもので、信号の送受信に係る設定を行う際に参照できるシーケンス図を表示することができる通信機器試験装置を提供することを目的とする。
【課題を解決するための手段】
【０００５】
本発明の通信機器試験装置は、試験対象の通信機器（２）に送信される信号を生成する信号生成部（１０）と、前記信号生成部によって生成された信号を前記通信機器に送信する信号送信部（１１）と、前記通信機器から送信された信号を受信する信号受信部（１２）と、表示部（１７）とを備え、前記表示部は、前記通信機器に指示するためのコマンドが入力されるコマンド入力部（４１）と、前記コマンド入力部に入力されたコマンドに基づいて前記信号生成部によって生成される信号の送信に応じて前記通信機器との間で送受信されるべき信号の順序を表すシーケンス図を表示するシーケンス表示部（４３）とを有する第１の画面を表示するように構成されている。
【０００６】
この構成により、コマンド入力部に入力されたコマンドに基づいて信号生成部によって生成される信号の送信に応じて通信機器との間で送受信される信号の順序を表すシーケンス図をシーケンス表示部に表示するため、信号の送受信に係る設定を行う際に参照できるシーケンス図を表示することができる。
【０００７】
また、本発明の通信機器試験装置は、前記表示部が、前記コマンド入力部に入力されたコマンドである複数のコマンドを一覧表示するコマンド表示部（３１）と、前記一覧表示された複数のコマンドから選択された一つのコマンドに対応する前記第１の画面を表示させるための第１の画面呼び出し手段（３３）とを有する第２の画面を表示し、前記信号送信部による信号の送信が、前記コマンド表示部に一覧表示された各コマンドに対して順次行われるようにしてもよい。
【０００８】
さらに、本発明の通信機器試験装置は、前記信号送信部による信号の送信の実行を指示するための実行指示入力部（３４）を備えるようにしてもよく、前記第２の画面は、前記実行指示入力部を備えるようにしてもよい。
【０００９】
この構成により、ユーザが実行指示を入力することによって複数のコマンドの送信を連続して実行することができる。
【発明の効果】
【００１０】
本発明の通信機器試験装置は、信号の送受信に係る設定を行う際に参照できるシーケンス図を表示することにより、信号の送受信に係る設定を容易に行うことができる。
【発明を実施するための最良の形態】
【００１１】
以下、本発明の実施の形態について、図面を参照して説明する。
【００１２】
図１は、本発明の一実施の形態に係る通信機器試験装置１のブロック図である。
【００１３】
通信機器試験装置１は、試験対象の通信機器２に接続され、通信機器２に送信される信号を生成する信号生成部１０と、信号生成部１０によって生成された信号を通信機器２に送信する信号送信部１１と、通信機器２によって送信された信号を受信する信号受信部１２と、信号受信部１２に受信された信号を解析する信号解析部１３と、中央処理装置（Central Processing Unit、以下「ＣＰＵ」と記載する。）によって構成される制御部１４と、記憶媒体１５と、ＲＡＭ（Random Access Memory）１６と、モニタ装置によって構成される表示部１７と、キーボード装置やポインティングデバイス等によって構成される入力部１８と、を備えている。
【００１４】
信号送信部１１および信号受信部１２は、通信機器２と電気または光を以って信号を送受信するためのインターフェイスモジュールによって構成されている。
【００１５】
制御部１４は、記憶媒体１５に記憶された制御プログラムをＲＡＭ１６に読み込み、ＲＡＭ１６に読み込んだ制御プログラムに記述された命令を実行することによって、信号生成部１０や信号解析部１３等を制御するようになっている。
【００１６】
例えば、制御部１４は、制御プログラムを実行することにより、信号解析部１３によって解析された結果や入力部１８を介した入力に応じて、信号生成部１０が信号を生成するよう信号生成部１０を制御したり、表示部１７が情報を表示するよう表示部１７を制御したりする。
【００１７】
記憶媒体１５は、ハードディスク装置、またはフラッシュメモリ等によって構成され、前述した制御プログラムや、制御プログラムによって参照されるデータ等を記憶するようになっている。
【００１８】
以下では、通信機器試験装置１と通信機器２とが、ITU-TS（国際電気通信連合・電気通信標準化セクタ）によって標準化された規格である同期デジタル・ハイアラーキ（Synchronous Digital Hierarchy、以下「ＳＤＨ」と記載する。）に準拠し、ＶＣＡＴ（Virtual Concatenation）およびＬＣＡＳ（Link Capacity Adjustment Scheme）を適用した通信を行う場合を例に説明する。
【００１９】
また、ＳＤＨに準拠し、ＶＣＡＴおよびＬＣＡＳを適用した通信において送受信される信号を以下の説明では単に「ＳＤＨ信号」と記載する。すなわち、信号送信部１１は、ＳＤＨ信号を生成し、信号解析部１３は、ＳＤＨ信号を解析するものとする。
【００２０】
ここで、ＶＣＡＴおよびＬＣＡＳについて簡単に説明する。ＶＣＡＴは、ITU-T（国際標準化機関）G.707において標準化された技術であり、複数のタイムスロットをメンバーとしたグループによって１単位のコンテンツを伝送するものである。
【００２１】
ＳＤＨにおいて前述したタイムスロットは、データの伝送速度によって、ＶＣ１１（1.6Mbit/s）、ＶＣ１２（2.176Mbit/s）、ＶＣ２（6.784Mbit/s）、ＶＣ３（48.384Mbit/s）、およびＶＣ４（149.760Mbit/s）の何れかと規定されている。
【００２２】
ＳＤＨにおける基本伝送速度は、155.52Mbit/sと定められており、これをＳＴＭ−１（Synchronus Transport Module-1）という。なお、ＳＴＭ−１に対してＮ倍の伝送速度をＳＴＭ−Ｎという。
【００２３】
ＳＴＭ−１に対しては、１つのＶＣ４または３つのＶＣ３がマッピングでき、ＶＣ４およびＶＣ３に対しては、複数のＶＣ１１、ＶＣ１２、またはＶＣ２がマッピングできる。例えば、１つのＶＣ３に対しては、２８個のＶＣ１１、２１個のＶＣ１２、または７個のＶＣ２がマッピングできる。
【００２４】
このようにマッピングされた各タイムスロットをメンバーとして構成されたグループは、メンバー数に「ｖ」を付した文字列が付加されて表記される。例えば、１６個のＶＣ１１によって構成されたものは、ＶＣ１１−１６ｖと表記される。
【００２５】
ＬＣＡＳは、ITU-T G.7042において標準化された技術であり、前述したグループに新たなメンバーを追加したり、グループからメンバーを削除したりすることによって、グループの帯域を動的に増減させることができる。
【００２６】
各タイムスロットには、ＰＯＨ（Path over Head）といわれるヘッダが付されており、対象となるタイムスロットのＰＯＨを構成するＨ４バイト（ＶＣ４、ＶＣ３）、またはＺ７／Ｋ４バイト（ＶＣ１１、ＶＣ１２、ＶＣ２）に割り当てられたコントロール領域（ＣＴＲＬ）に、メンバーの追加（ＡＤＤ）、メンバーの削除（ＩＤＬＥ）、およびメンバーの使用停止（ＤＮＵ）等を設定することによってグループのメンバーを増減させることができる。
【００２７】
なお、各タイムスロットのＰＯＨを構成するＨ４バイト、またはＺ７／Ｋ４バイトには、グループを識別するためのグループＩＤ（Group Identification、ＧＩＤ）、グループ内のメンバーの順序を表すシーケンス番号（Sequence Indicator、ＳＱ）、グループ内のメンバーの状態を表すメンバーステータス（Member Status、ＭＳＴ）、およびシーケンス番号が変更されたことの承認を表す承認情報（Re-Sequence Acknowledge、ＲＳ−Ａｃｋ）等も割り当てられる。
【００２８】
以上のように構成された通信機器試験装置１について、図２乃至図５を用いてその動作を説明する。図２は、通信機器試験装置１の表示部１７に表示される実行画面（第２の画面）のイメージである。
【００２９】
実行画面は、メンバーを増減させるグループが指定された状態で表示され、指定されたグループに対して通信機器２に指示するコマンドの表示、コマンドの編集、およびコマンド送信の実行指示の入力等を行うためのものである。
【００３０】
実行画面には、コマンドの一覧を表示するコマンド表示部３１が設けられている。ここで、ユーザがコマンドを追加する場合には、実行画面に設けられたＡｄｄボタン３２を入力部１８を介して押下する。Ａｄｄボタン３２が押下されると、コマンド表示部３１に所定のコマンドが追加される。
【００３１】
ユーザがコマンド表示部３１に表示されたコマンドを変更する場合には、実行画面に設けられたＥｄｉｔボタン（第１の画面呼び出し手段）３３を入力部１８を介して押下する。Ｅｄｉｔボタン３３が押下されると、コマンド変更画面（第１の画面）が表示される。
【００３２】
図３は、通信機器試験装置１の表示部１７に表示されるコマンド変更画面のイメージである。
【００３３】
コマンド変更画面には、メンバーの追加、メンバーの削除、およびメンバーの使用停止等を通信機器２に指示するコマンドが入力されるコマンド入力部４１が設けられている。ユーザがコマンドを変更する場合には、入力部１８を介してコマンド入力部４１を以ってコマンドを変更する。なお、図３は、グループにメンバーを追加するコマンド（以下、「ＡＤＤコマンド」と記載する。）が選択された状態を示している。
【００３４】
ＡＤＤコマンドが選択されたコマンド変更画面には、グループに追加するタイムスロットを指定するためのＥｄｉｔボタン４２が表示される。Ｅｄｉｔボタン４２が入力部１８を介して押下されると図示しないタイムスロット選択画面が表示され、ユーザは、グループに追加可能なタイムスロットの一覧の中からグループに追加するタイムスロットを選択する。なお、図３は、「１チャンネル」と識別されるタイムスロットがタイムスロット選択画面で選択された状態を示している。
【００３５】
コマンド変更画面には、コマンドに応じた試験パラメータを設定するためのパラメータ設定部４６が設けられている。ユーザがパラメータ値を変更する場合には、入力部１８を介してパラメータ値の変更を行う。なお、パラメータ設定部４６の項目に対応したパラメータ名称は、後述するシーケンス図中の該当箇所に表示される。
【００３６】
コマンド変更画面には、コマンド入力部４１を介して入力されたコマンドに基づいて信号生成部１０によって生成されるＳＤＨ信号の送信に応じて通信機器２との間で送受信される信号の順序を表すシーケンス図を表示するシーケンス表示部４３が設けられている。
【００３７】
ここで、シーケンス表示部４３に表示されたシーケンス図について説明する。
【００３８】
図３において、Ｓｏは、通信機器試験装置１を示し、Ｓｋは、通信機器２を示している。また、ｍｅｍａは、グループに追加されるタイムスロット（メンバー）を示し、ｍｅｍｎは、グループ内の最後のメンバーに指定されたメンバーを示している。
【００３９】
このシーケンス図に表されたシーケンスが実行された場合は、以下のようになる。
【００４０】
ＣＴＲＬに追加コマンドを表すＡＤＤが設定されたＳＤＨ信号が信号生成部１０によって生成され、生成されたＳＤＨ信号が信号送信部１１によってＳｋに送信される。
【００４１】
このＳＤＨ信号の送信に応じて、ｍｅｍａがメンバーとして追加され、メンバーが追加された旨としてｍｅｍａのＭＳＴにＯＫが設定されたＳＤＨ信号がＳｋからＳｏに返信される。
【００４２】
次に、信号生成部１０によって生成されるＳＤＨ信号のｍｅｍａのＣＴＲＬにグループ内のＳＱ値が最後のメンバーに指定するためのコマンドを表すＥＯＳが、ｍｅｍｎのＣＴＲＬにグループ内の最後より前のメンバーに指定するためのコマンドを表すＮＯＲＭがそれぞれ設定され、信号生成部１０によって生成されたＳＤＨ信号がＳｋに送信される。
【００４３】
このＳＤＨ信号の送信に応じて、ｍｅｍａのＲＳ−Ａｃｋが設定されたＳＤＨ信号がＳｋからＳｏに返信され、Ａｄｄコマンドの送信が実行された際のシーケンスが終了する。
【００４４】
図４および図５も図３と同様に、通信機器試験装置１の表示部１７に表示されるコマンド変更画面のイメージであり、図４は、グループからメンバーを削除するコマンド（以下、「ＲＥＭＯＶＥコマンド」と記載する。）が選択された状態を示し、図５は、グループのメンバーを使用停止にするコマンド（以下、「Ｔｅｍｐ．ＲＥＭＯＶＥコマンド」と記載する。）が選択された状態を示している。
【００４５】
図４において、ＲＥＭＯＶＥコマンドが選択されたコマンド変更画面には、グループから削除するメンバーを指定するためのＥｄｉｔボタン４４が表示される。入力部１８を介してＥｄｉｔボタン４４が押下されると図示しないメンバー選択画面が表示され、ユーザは、グループから削除可能なメンバーの一覧の中からグループから削除するメンバーを選択する。なお、図４は、「１チャンネル」と識別されるメンバーがメンバー選択画面で選択された状態を示している。
【００４６】
図５において、Ｔｅｍｐ．ＲＥＭＯＶＥコマンドが選択されたコマンド変更画面には、使用停止にするメンバーを指定するためのＥｄｉｔボタン４５が表示される。入力部１８を介してＥｄｉｔボタン４５が押下されると図示しないメンバー選択画面が表示され、ユーザは、使用停止にすることができるメンバーの一覧の中から使用停止にするメンバーを選択する。なお、図５は、「５チャンネル」と識別されるメンバーがメンバー選択画面で選択された状態を示している。
【００４７】
ここで、図４および図５に示したシーケンス表示部４３に表示されるシーケンス図は、ＡＤＤコマンドが選択されたときにシーケンス表示部４３に表示されるシーケンス図の説明、および規格（ＳＤＨ、ＶＣＡＴおよびＬＣＡＳ）に基づいて容易に理解できるため、説明を省略する。
【００４８】
以上のようにコマンド変更画面で変更されたコマンドおよびパラメータは、制御部１４によって記憶媒体１５に記憶され、図２における実行画面のコマンド表示部３１に表示される。
【００４９】
実行画面には、コマンド表示部３１に表示されたコマンドの送信の実行指示が入力される実行指示入力部３４が設けられている。ユーザが入力部１８を介して実行指示入力部３４を押下するなどして実行指示を与えると、コマンド表示部３１に表示された各コマンドの送信が順次実行される。
【００５０】
具体的には、まず、コマンド表示部３１に最初に表示されたコマンドに対応するＳＤＨ信号が信号生成部１０によって生成され、生成されたＳＤＨ信号が信号送信部１１によって通信機器２に送信される。このＳＤＨ信号の送信に応じて開始されるシーケンスが完了すると、コマンド表示部３１に次に表示されたコマンドに対して処理が実行される。
【００５１】
なお、コマンド表示部３１に設けられた各チェックボックスは、実行指示入力部３４からの実行指示に応じて各コマンドを実行するか否かを設定するものであり、チェックが入っていないチェックボックスに対応するコマンドの実行はスキップされる。
【００５２】
以上のように実行された各コマンドの送信に応じて通信機器２によって送信されたＳＤＨ信号は、信号受信部１２によって受信され、信号解析部１３によって解析される。
【００５３】
信号解析部１３による解析結果は、図６および図７に示すように、表示部１７に表示される解析結果表示画面を以って出力される。なお、図６に示す画面は、１つのメンバーに対する解析結果を表し、信号受信部１２によって受信されたＳＤＨ信号の所定領域に変化があった場合やＳＤＨ信号の受信回数が所定値を越した場合に表示が更新される。また、図７に示す画面は、１つのグループに対する解析結果を表し、所定の時間間隔で表示が更新される。さらに、図２に示すように、コマンド表示部３１には、各コマンドの実行結果を一覧表示する"Ｒｅｓｕｌｔ"欄が設けられている。この欄には、コマンドが正常終了した場合には"ＯＫ"、異常終了した場合には"ＮＧ"等と表示され、複数のコマンドが順次実行されたときの一連の結果を、一目で確認できる。
【００５４】
以上説明したように、本発明の一実施の形態に係る通信機器試験装置１によれば、コマンド入力部４１に入力されたコマンドに基づいて信号生成部１０によって生成される信号の送信に応じて通信機器２との間で送受信される信号の順序を表すシーケンス図をシーケンス表示部４３に表示するため、信号の送受信に係る設定を行う際に参照できるシーケンス図を表示することができる。
【００５５】
なお、本実施形態において、通信機器試験装置１をＳＤＨに準拠し、ＶＣＡＴおよびＬＣＡＳを適用した通信を行う通信機器２を試験するものとして説明したが、本発明の通信機器試験装置は、ＳＯＮＥＴ（Synchronous Optical Network）等の他の同期デジタル多重化伝送規格に準拠し、ＶＣＡＴおよびＬＣＡＳを適用した通信を行う通信機器を試験するものとしても適用できる。
【図面の簡単な説明】
【００５６】
【図１】本発明の一実施の形態に係る通信機器試験装置の構成を示すブロック図
【図２】本発明の一実施の形態に係る通信機器試験装置の表示部に表示される実行画面のイメージ
【図３】本発明の一実施の形態に係る通信機器試験装置の表示部に表示されるコマンド変更画面の第１のイメージ
【図４】本発明の一実施の形態に係る通信機器試験装置の表示部に表示されるコマンド変更画面の第２のイメージ
【図５】本発明の一実施の形態に係る通信機器試験装置の表示部に表示されるコマンド変更画面の第３のイメージ
【図６】本発明の一実施の形態に係る通信機器試験装置の表示部に表示される解析結果表示画面の第１のイメージ
【図７】本発明の一実施の形態に係る通信機器試験装置の表示部に表示される解析結果表示画面の第２のイメージ
【符号の説明】
【００５７】
１  通信機器試験装置
２  通信機器
１０  信号生成部
１１  信号送信部
１２  信号受信部
１３  信号解析部
１４  制御部
１５  記憶媒体
１６  ＲＡＭ
１７  表示部
１８  入力部
３１  コマンド表示部
３２  Ａｄｄボタン
３３、４２、４４、４５  Ｅｄｉｔボタン
３４  実行指示入力部
４１  コマンド入力部
４３  シーケンス表示部
４６  パラメータ設定部
【図１】
2005347831.tif 000003
【図２】
2005347831.tif 000004
【図３】
2005347831.tif 000005
【図４】
2005347831.tif 000006
【図５】
2005347831.tif 000007
【図６】
2005347831.tif 000008
【図７】
2005347831.tif 000009